(57)【要約】【課題】    本発明は、被包装体の移動を阻止すると共に、外力を緩和することができる包装装置を提供することを目的としている。【解決手段】    包装装置１は、包装箱２と、この包装箱２の底面に設けられた第１の弾性体４と、この第１の弾性体４の上に置かれた被包装体３と、この被包装体３の上に置かれた第２の弾性体５と、この第２の弾性体５と包装箱２の天井面Ｔとに接触して、第２の弾性体５を介して被包装体３を押圧すると共に、空気を内在した緩衝材６とを備えている。【選択図】図２
2005132440.tif 000002
【特許請求の範囲】
【請求項１】
包装箱と、
この包装箱の底面に設けられた第１の弾性体と、
この第１の弾性体の上に置かれた被包装体と、
この被包装体の上に置かれた第２の弾性体と、
この第２の弾性体と前記包装箱の天井面とに接触して、前記第２の弾性体を介して前記被包装体を押圧すると共に、空気を内在した緩衝材と
を備えていることを特徴とする包装装置。
【請求項２】
包装箱は直方体形状又は立方体形状で、
緩衝材は四角筒状であり、前記緩衝材の第２の弾性体との接触面は、前記緩衝材の開口端部を除く、前記緩衝材の四面の内の何れかの一面である                              ことを特徴とする請求項１記載の包装装置。
【請求項３】
直方体形状又は立方体形状の包装箱の底面に第１の弾性体を置き、次に、この第１の弾性体の上に被包装体を置き、次に、この被包装体の上に第２の弾性体を置き、次に、この第２の弾性体の上に空気を内在した緩衝材を置き、前記包装箱の蓋を閉めて、前記緩衝材を前記包装箱の蓋の天井面とに接触させて、前記第２の弾性体を介して前記被包装体を押圧して、前記被包装体の移動を阻止することを特徴とする包装方法。
【請求項４】
緩衝材は四角筒状であり、前記緩衝材の第２の弾性体との接触面は、前記緩衝材の開口端部を除く、前記緩衝材の四面の内の何れかの一面であり、
前記第２の弾性体と前記包装箱の天井面との間隙に応じて、前記緩衝材の空気の封入量を調整することを特徴とする請求項３記載の包装方法。
【発明の詳細な説明】
【技術分野】
【０００１】
本発明は、包装装置及び包装方法に係り、特に、被包装体の移動を阻止すると共に、外力を緩和することができる包装装置及び包装方法に関する。
【背景技術】
【０００２】
空気を内在した緩衝材により被包装体を押圧して包装する包装装置がある（例えば、特許文献１参照）。
【特許文献１】特開平７−３１５４３８号公報
【発明の開示】
【発明が解決しようとする課題】
【０００３】
しかしながら、上述した包装装置にあっては、被包装体の下部は硬い棚板の上にあり、包装装置の移動中に被包装体の下部が移動し易く、移動を阻止するために、被包装体を強い力で押圧しようとすれば、押圧力により被包装体が損傷するという問題点が生じた。
また、包装装置に外力が作用した場合、被包装体の下部は硬い棚板の上にあるため、外力を緩和できず、被包装体が損傷するという問題点が生じた。
本発明は、上述した問題点を除去するようにした包装装置及び包装方法を提供するものである。
【課題を解決するための手段】
【０００４】
上記目的を達成するために、請求項１記載の包装装置は、包装箱と、この包装箱の底面に設けられた第１の弾性体と、この第１の弾性体の上に置かれた被包装体と、この被包装体の上に置かれた第２の弾性体と、この第２の弾性体と前記包装箱の天井面とに接触して、前記第２の弾性体を介して前記被包装体を押圧すると共に、空気を内在した緩衝材とを備えている。
【０００５】
また、請求項２記載の包装装置は、請求項１記載の包装装置において、包装箱は直方体形状又は立方体形状で、緩衝材は四角筒状であり、前記緩衝材の第２の弾性体との接触面は、前記緩衝材の開口端部を除く、前記緩衝材の四面の内の何れかの一面である。
【０００６】
また、請求項３記載の包装方法は、直方体形状又は立方体形状の包装箱の底面に第１の弾性体を置き、次に、この第１の弾性体の上に被包装体を置き、次に、この被包装体の上に第２の弾性体を置き、次に、この第２の弾性体の上に空気を内在した緩衝材を置き、前記包装箱の蓋を閉めて、前記緩衝材を前記包装箱の蓋の天井面とに接触させて、前記第２の弾性体を介して前記被包装体を押圧して、前記被包装体の移動を阻止する。
【０００７】
また、請求項４記載の包装方法は、請求項３記載の包装方法において、緩衝材は四角筒状であり、前記緩衝材の第２の弾性体との接触面は、前記緩衝材の開口端部を除く、前記緩衝材の四面の内の何れかの一面であり、前記第２の弾性体と前記包装箱の天井面との間隙に応じて、前記緩衝材の空気の封入量を調整する。
【発明の効果】
【０００８】
請求項１記載の包装装置によれば、被包装体は空気を内在した緩衝材により第１の弾性体と第２の弾性体とに挟持され、移動を阻止して簡易に包装することができると共に、包装箱に外力が作用しても、被包装体は第１の弾性体と第２の弾性体とに挟持されているため、該外力を緩和することができる。
【０００９】
また、請求項２記載の包装装置によれば、前述の請求項１記載の発明の効果に加え、緩衝材は四角筒状であり、緩衝材の第２の弾性体との接触面は、緩衝材の開口端部を除く、緩衝材の四面の内の何れかの一面であるため、包装箱に外力が作用しても、緩衝材は四角筒状となっているため、緩衝材の中空を利用して該外力を緩和することができる。
【００１０】
また、請求項３記載の包装方法によれば、被包装体は空気を内在した緩衝材により第１の弾性体と第２の弾性体とに挟持され、移動を阻止して簡易に包装することができると共に、包装箱に外力が作用しても、被包装体は第１の弾性体と第２の弾性体とに挟持されているため、該外力を緩和することができる。
【００１１】
また、請求項４記載の包装方法によれば、前述の請求項３記載の発明の効果に加え、緩衝材は四角筒状であり、緩衝材の第２の弾性体との接触面は、緩衝材の開口端部を除く、緩衝材の四面の内の何れかの一面であるため、包装箱に外力が作用しても、緩衝材は四角筒状となっているため、緩衝材の中空を利用して該外力を緩和することができると共に、第２の弾性体と包装箱の天井面との間隙に応じて、緩衝材の空気の封入量を調整するため、包装箱に収納される被包装体の大きさに、一つの緩衝材で対応することができる。
【実施例】
【００１２】
本発明の一実施例の包装装置及び包装方法を図面を参照して説明する。
図１乃至図６において、１は包装装置で、包装装置１は、例えば、開閉自在な蓋21を有する直方体形状（又は立方体形状）の包装箱２に被包装体３（例えば、割れ物）を収納するものである。
【００１３】
４は包装箱２の底面22に設けられた第１の弾性体（例えば、シ−ト状の弾性体、より詳しくは、弾性を有するウレタン）で、第１の弾性体４の上には、被包装体３、３、３が置かれる。隣接する被包装体３、３、３は接触しないように配置されている。
被包装体３、３、３の上には、第２の弾性体（例えば、シ−ト状の弾性体、より詳しくは、弾性を有するウレタン）５が置かれる。
６は空気を内在した緩衝材で、緩衝材６は第２の弾性体５と包装箱２の天井面Ｔとに接触して、第２の弾性体５を介して被包装体３を押圧するものである。
【００１４】
従って、図１に示すように、先ず、直方体形状又は立方体形状の包装箱２の底面22に第１の弾性体４を置き、次に、この第１の弾性体４の上に被包装体３、３、３を置く。
次に、この被包装体３、３、３の上に第２の弾性体５を置き、次に、この第２の弾性体５の上に空気を内在した緩衝材６を置き、包装箱２の蓋21を閉めて、図２に示すように、緩衝材６を包装箱２の蓋21の天井面Ｔに接触させて、第２の弾性体５を介して被包装体３を押圧して、被包装体３の移動を阻止する。
【００１５】
その結果、被包装体３は空気を内在した緩衝材６により第１の弾性体４と第２の弾性体５とに挟持され、例えば、図２に図示されているように、被包装体３と第１の弾性体４の当接部及び被包装体３と第２の弾性体５の当接部は窪み、移動を阻止して簡易に包装することができると共に、包装箱２に外力が作用しても、被包装体３は第１の弾性体４と第２の弾性体５とに挟持されているため、該外力を緩和することができる。
【００１６】
また、第２の弾性体５と包装箱２の天井面Ｔとの間隙に応じて、緩衝材６の空気の封入量を調整することができる。即ち、図２に示す状態では、緩衝材６に十分空気を注入するが、図２に示す第２の弾性体５と包装箱２の天井面Ｔとの間隙より小さい時には、緩衝材６への空気の注入量は、緩衝材６が天井面Ｔに接触する程度であれば良い。
【００１７】
なお、緩衝材６は四角筒状であり、緩衝材６の第２の弾性体５との接触面は、緩衝材６の開口端部６Ａ、６Ｂを除く、緩衝材６の四面６Ｃ、６Ｄ、６Ｅ、６Ｆの内の何れかの一面であり、本実施例では、６Ｅである（図１及び図２参照）。                          その結果、包装箱２に外力が作用しても、緩衝材６は四角筒状となっているため、緩衝材６の中空を利用して該外力を緩和することができる。
【００１８】
また、緩衝材６は、次のようにして作られる。
図３に示すように、対向する矩形形状のシ−ト状部材61（表）、61（裏）の周縁61ａ、61ｂ、61ｃ、61ｄをヒ−トシ−ルする。61ｅは横ヒ−トシ−ルで、61ｆは縦ヒ−トシ−ルである。
図３に示す部材を矢印方向に折り曲げ、重なった縁部61ｇをヒ−トシ−ルして緩衝材６は作られる（図４及び図５参照）。図４及び図５に示す緩衝材６に空気を注入して使用する（図１、図２及び図６参照）。
なお、62は空気注入用の蓋であり、63は緩衝材６に注入された空気が外部へ排出を阻止するする逆止弁であり、64は空気排出用の蓋である。
【図面の簡単な説明】
【００１９】
【図１】図１は、本発明の一実施例の包装装置の概略的分解斜視図である。
【図２】図２は図１の包装装置を組み込んだ状態の概略的断面図である。
【図３】図３は、図１の緩衝材の製造過程を示す概略的平面図である。
【図４】図４は、図３のシ−ト状部材を折り返し、重なった端部の一部をヒ−トシ−ルして形成された緩衝材の概略的平面図である。
【図５】図５は、図４の緩衝材の概略的側面図である。
【図６】図６は、図５の緩衝材に空気を注入している状態の概略的断面図である。
【符号の説明】
【００２０】
１  ・・・・・包装装置
２  ・・・・・包装箱
３  ・・・・・被包装体
４  ・・・・・第１の弾性体
５  ・・・・・第２の弾性体
６  ・・・・・緩衝材
Ｔ  ・・・・・天井面
【図１】
2005132440.tif 000003
【図２】
2005132440.tif 000004
【図３】
2005132440.tif 000005
【図４】
2005132440.tif 000006
【図５】
2005132440.tif 000007
【図６】
2005132440.tif 000008